(57)【要約】【課題】便座および便蓋が開状態である場合においても、便座および便蓋の後方のスペースを有効活用できる便座装置を提供すること。【解決手段】便座装置１は、第一回動軸４０ａの周りに回動可能に設けられた第一軸部材４０と、第一軸部材４０に対して平行に配置され、便蓋３０を支持するとともに、便蓋３０と一体に回動する第二軸部材５０と、第一軸部材４０と第二軸部材５０とを連結し、第一軸部材４０および第二軸部材５０の一方に入力された動力を第一軸部材４０および第二軸部材５０の他方に伝達する動力伝達部６０であって、第二軸部材５０が、便蓋３０が閉状態であるときの位置である第一位置Ｐ１と、便蓋３０が開状態であるときの位置である第二位置Ｐ２であって第一位置Ｐ１より後方かつ下方に位置する第二位置Ｐ２との間を、第一軸部材４０に対して平行に第一回動軸４０ａの周りを公転するように設けられている動力伝達部６０を備えている。【選択図】  図２
2019042430.tif 000002
【特許請求の範囲】
【請求項１】
便器に取付けられた本体部に、先端側が前方に向く閉状態と先端側が上方に向く開状態との間を回動可能に支持された便座および便蓋を備えた便座装置であって、
前記本体部の内部に配置され、回動軸の周りに回動可能に設けられた第一軸部材と、
前記第一軸部材に対して平行に前記本体部から突出するように配置され、前記便座および前記便蓋の少なくとも一方の部材を支持するとともに、前記少なくとも一方の部材と一体に回動する第二軸部材と、
前記本体部の内部に配置され、前記第一軸部材と前記第二軸部材とを連結し、前記第一軸部材および前記第二軸部材の一方に入力された動力を前記第一軸部材および前記第二軸部材の他方に伝達する動力伝達部と、を備え、
前記動力伝達部は、
前記第二軸部材が、前記少なくとも一方の部材が前記閉状態であるときの位置である第一位置と、前記少なくとも一方の部材が前記開状態であるときの位置である第二位置であって前記第一位置より後方かつ下方に位置する前記第二位置との間を、前記第一軸部材に対して平行に前記回動軸の周りを公転するように設けられている便座装置。
【請求項２】
前記動力伝達部は、
太陽歯車が形成された太陽歯車部材と、
前記太陽歯車部材に噛み合う遊星歯車が形成された遊星歯車部材と、
前記遊星歯車部材を、前記太陽歯車部材の周りを公転可能かつ自転可能に支持するキャリア部材と、を備えた遊星歯車機構によって構成され、
前記太陽歯車部材およびキャリア部材の一方には、前記第一軸部材が一体に回動可能に接続され、
前記遊星歯車部材には、前記第二軸部材が一体に回動可能に接続されている請求項１に記載の便座装置。
【請求項３】
前記太陽歯車部材は、
太陽歯車が前記回動軸の周りに回動可能に形成された第一太陽歯車部材と、
前記第一太陽歯車部材と同軸に回動不能に配置され、太陽歯車が形成された第二太陽歯車部材と、を備え、
前記遊星歯車部材は、
前記第一太陽歯車部材に噛み合う遊星歯車が形成された第一遊星歯車部材と、
前記第一遊星歯車部材と一体にかつ同軸に回動可能に設けられ、前記第二太陽歯車部材に噛み合う遊星歯車が形成された第二遊星歯車部材と、を備え、
前記第一太陽歯車部材には、前記第一軸部材が一体に回動可能に接続され、
前記第二遊星歯車部材には、前記第二軸部材が一体に回動可能に接続されている請求項２に記載の便座装置。
【請求項４】
前記本体部には、前記第二軸部材が貫通し、前記第二軸部材を案内する案内穴部が設けられている請求項１乃至請求項３の何れか一項に記載の便座装置。
【発明の詳細な説明】
【技術分野】
【０００１】
本発明は、便座装置に関する。
【背景技術】
【０００２】
便座装置（局部洗浄装置）の一形式として、特許文献１に示されているものが知られている。特許文献１の便座装置は、便座および便蓋が、回転中心軸の周りを回動している。
【先行技術文献】
【特許文献】
【０００３】
【特許文献１】特開２００６−７０６９９号公報
【発明の概要】
【発明が解決しようとする課題】
【０００４】
しかしながら、上述した特許文献１の便座装置においては、便座および便蓋が開状態であるとき、便座および便蓋の大きさによって、便座および便蓋の先端側が比較的上方に位置する場合があると考えられる。この場合、便座および便蓋の後方のスペースを有効に活用できないことが考えられる。
【０００５】
そこで、本発明は、上述した課題を解消するためになされたもので、便座および便蓋が開状態である場合においても、便座および便蓋の後方のスペースを有効活用できる便座装置を提供することを目的とする。
【課題を解決するための手段】
【０００６】
上記の課題を解決するため、請求項１に係る便座装置は、便器に取付けられた本体部に、先端側が前方に向く閉状態と先端側が上方に向く開状態との間を回動可能に支持された便座および便蓋を備えた便座装置であって、本体部の内部に配置され、回動軸の周りに回動可能に設けられた第一軸部材と、第一軸部材に対して平行に本体部から突出するように配置され、便座および便蓋の少なくとも一方の部材を支持するとともに、少なくとも一方の部材と一体に回動する第二軸部材と、本体部の内部に配置され、第一軸部材と第二軸部材とを連結し、第一軸部材および第二軸部材の一方に入力された動力を第一軸部材および第二軸部材の他方に伝達する動力伝達部と、を備え、動力伝達部は、第二軸部材が、少なくとも一方の部材が閉状態であるときの位置である第一位置と、少なくとも一方の部材が開状態であるときの位置である第二位置であって第一位置より後方かつ下方に位置する第二位置との間を、第一軸部材に対して平行に回動軸の周りを公転するように設けられている。
【発明の効果】
【０００７】
これによれば、第二軸部材が便蓋を支持している場合において、便蓋が閉状態から開状態に回動したとき、第二軸部材が第一位置から第一位置より後方かつ下方の第二位置に移動する。よって、本発明における開状態の便蓋の位置は、第二軸部材が第一位置から第二位置に移動せずに便蓋が第二軸部材の周りを回動した場合における開状態の便蓋の位置に比べて、下方に位置する。このことは、第二軸部材が便座を支持する場合も同様である。したがって、便座装置は、便座および便蓋が開状態である場合においても、便座および便蓋の後方のスペースを有効活用できる。
【図面の簡単な説明】
【０００８】
【図１】本発明による第一実施形態に係る便座装置が腰掛式便器に固定された状態を示す側面図である。
【図２】図１に示す便座装置の斜視図である。
【図３】図２に示す本体部の側面図である。なお、本図においては、便蓋が図示されていない。
【図４】図２に示す動力伝達部の正面図である。
【図５】図４に示す動力伝達部のスケルトン図である。
【図６】図４に示す動力伝達部の側面図であり、便蓋が閉状態である状態が示されている。
【図７】図４に示す動力伝達部の側面図であり、便蓋が開状態である状態が示されている。
【図８】図１に示す便座装置の部分拡大図である。
【図９】本発明による第二実施形態に係る便座装置の動力伝達部のスケルトン図である。
【図１０】本発明による第三実施形態に係る便座装置の動力伝達部のスケルトン図である。
【図１１】本発明による第四実施形態に係る便座装置の動力伝達部の正面図である。
【図１２】図１１に示す動力伝達部の側面図である。
【発明を実施するための形態】
【０００９】
＜第一実施形態＞
以下、本発明による便座装置の第一実施形態について図面を用いて説明する。なお、本明細書においては説明の便宜上、図１における上側および下側をそれぞれ便座装置１の上方および下方とし、同じく左側および右側をそれぞれ便座装置１の後方および前方とし、同じく紙面奥側および紙面手前側を、それぞれ便座装置１の左方および右方として説明する。
【００１０】
便座装置１は、本実施形態において、温水洗浄便座である。便座装置１は、図１に示すように、本体部１０、便座２０、および、便座２０を覆う便蓋３０を備えている。
本体部１０は、腰掛式便器２（本発明の便器に相当）に取り付けられている。本体部１０には、人体の局部の洗浄を行う洗浄装置（図示なし）が収納されている。
【００１１】
本体部１０は、図２乃至図４に示すように、本体部１０から左方および右方にそれぞれ突出する一対の第二軸部材５０（後述する）が配置されている。本体部１０のケーシングの側壁には、図３および図４に示すように、案内穴部１０ａが設けられている。案内穴部１０ａは、後述する第二軸部材５０が貫通し、第二軸部材５０を案内するものである。案内穴部１０ａは、第二軸部材５０が移動する方向に沿うように、かつ、第二軸部材５０が移動する範囲に合わせて弧状に設けられている（後述する）。
【００１２】
便座２０および便蓋３０の各々は、閉状態（図１にて実線にて示す状態）である場合に長手方向が前後方向に沿うように設けられている。便座２０および便蓋３０の各々の閉状態における前方側が、便座２０および便蓋３０の各々の先端側に相当する。また、便座２０および便蓋３０の各々の閉状態における後方側が、便座２０および便蓋３０それぞれの先端側と反対の基端側に相当する。
【００１３】
便座２０および便蓋３０は、本体部１０に、先端側が前方を向く閉状態と、先端側が上方を向く開状態との間を回動可能に支持されている。便座２０および便蓋３０は、基端側がそれぞれ本体部１０に支持されている。便蓋３０においては、閉状態と開状態との間を、第一所定角度θ１（本実施形態においては、およそ１２０°）だけ回動する。なお、図１および図８には、開状態である便蓋３０が破線にて示されている。
【００１４】
また、便座装置１は、図２乃至図４に示すように、一対の第一軸部材４０、一対の第二軸部材５０および二つの動力伝達部６０をさらに備えている。一対の第一軸部材４０、一対の第二軸部材５０および二つの動力伝達部６０は、本体部１０内に左右方向両側にそれぞれ配置されている。一対の第一軸部材４０、一対の第二軸部材５０および二つの動力伝達部６０は、それぞれ左右対称形状であるため、以下、右側に配置された第一軸部材４０、第二軸部材５０および動力伝達部６０についてのみ説明する。
【００１５】
第一軸部材４０は、図４に示すように、本体部１０の内部に配置され、第一回動軸４０ａ（本発明の回動軸に相当）の周りに回動可能に設けられたものである。第一回動軸４０ａは、左右方向に沿うように設けられている。二つの第一軸部材４０の一方は、本実施形態において、ダンパ装置７０の出力軸である。二つの第一軸部材４０の他方は、本体部１０に回動可能に支持されている。
【００１６】
ダンパ装置７０は、本体部１０に収納され、便蓋３０が開状態から閉状態に回動する場合に第一軸部材４０が回動されることにより、便蓋３０が回動する速度を抑制するものである。ダンパ装置７０は、本体部１０のケーシングに回動不能に固定されている。
【００１７】
第二軸部材５０は、図２乃至図４に示すように、第一軸部材４０に対して平行に本体部１０から突出するように配置され、便蓋３０を支持するとともに、便蓋３０と一体に回動するものである。第二軸部材５０は、第二回動軸５０ａの周りを回動する。第二軸部材５０は、本体部１０の右側面から右方に突出するように配置されている。第二軸部材５０の突出端部は、外周に互いに平行となるように形成された一対の第二平行面５１が設けられている。
【００１８】
第二軸部材５０の突出端部が便蓋３０の軸受部３１（図４参照）に嵌ることにより、便蓋３０が第二軸部材５０によって支持される。軸受部３１は、便蓋３０と一体に設けられている。また、軸受部３１には、一対の第二平行面５１と対向する一対の対向面３１ａが設けられている。便蓋３０および第二軸部材５０の一方が回動した場合、第二平行面５１と対向面３１ａとが引っ掛かることにより、第二軸部材５０と軸受部３１ひいては便蓋３０とが一体に回動する。
【００１９】
動力伝達部６０は、本体部１０の内部に配置され、第一軸部材４０と第二軸部材５０とを連結し、第一軸部材４０および第二軸部材５０の一方に入力された動力を第一軸部材４０および第二軸部材５０の他方に伝達するものである。本実施形態においては、動力は、使用者が手動にて便蓋３０を回動させることにより発生し、便蓋３０を介して第二軸部材５０に入力される。
【００２０】
動力伝達部６０は、図４および図５に示すように、遊星歯車機構によって構成されている。動力伝達部６０は、太陽歯車部材６１、遊星歯車部材６２およびキャリア部材６３を備えている。なお、図５に示すスケルトン図において、歯車部材に付されたハッチングは、その歯車部材の回動が規制されていることを示す（図９および図１０においても同様）。
【００２１】
太陽歯車部材６１は、太陽歯車が形成された歯車である。太陽歯車部材６１は、第一太陽歯車部材６１ａおよび第二太陽歯車部材６１ｂを備えている。第一太陽歯車部材６１ａおよび第二太陽歯車部材６１ｂには、外歯の太陽歯車が形成されている。
【００２２】
第一太陽歯車部材６１ａは、太陽歯車が第一回動軸４０ａの周りに回動可能に形成されたものである。第一太陽歯車部材６１ａには、第一軸部材４０が一体に回動可能に接続されている。
【００２３】
第二太陽歯車部材６１ｂは、第一太陽歯車部材６１ａと同軸に回動不能に配置されている。第二太陽歯車部材６１ｂは、第一太陽歯車部材６１ａの右側に配置されている。第二太陽歯車部材６１ｂは、左側面にて第一太陽歯車部材６１ａを同軸に回動可能に支持する。
【００２４】
また、第二太陽歯車部材６１ｂは、右側面から第一回動軸４０ａに沿って右方に向けて突出する突出部６１ｂ１が一体に設けられている。突出部６１ｂ１は、本体部１０のケーシングに回動不能に固定されている。これにより、第二太陽歯車部材６１ｂの回動が規制される。
【００２５】
遊星歯車部材６２は、太陽歯車部材６１に噛み合う遊星歯車が形成されたものである。遊星歯車部材６２は、第一遊星歯車部材６２ａおよび第二遊星歯車部材６２ｂを備えている。第一遊星歯車部材６２ａおよび第二遊星歯車部材６２ｂには、外歯の遊星歯車が形成されている。
【００２６】
第一遊星歯車部材６２ａは、第一太陽歯車部材６１ａに噛み合う遊星歯車が形成されたものである。
第二遊星歯車部材６２ｂは、第一遊星歯車部材６２ａと一体にかつ同軸に回動可能に設けられ、第二太陽歯車部材６１ｂに噛み合う遊星歯車が設けられている。第二遊星歯車部材６２ｂには、右側面に第二軸部材５０が一体に回動可能に接続されている。すなわち、第一遊星歯車部材６２ａおよび第二遊星歯車部材６２ｂは、第二軸部材５０と一体に第二回動軸５０ａの周りを回動する。
【００２７】
キャリア部材６３は、遊星歯車部材６２を、太陽歯車部材６１の周りを公転可能かつ自転可能に支持するものである。キャリア部材６３は、板状に形成されている。太陽歯車部材６１および遊星歯車部材６２は、キャリア部材６３に相対的に回動可能に接続されている。
【００２８】
上述したように、第二軸部材５０は、便蓋３０を支持するとともに、便蓋３０と一体に回動する。また、上述したように、便蓋３０が閉状態と開状態との間を第一所定角度θ１だけ回動する。よって、便蓋３０が閉状態と開状態の間を回動した場合、第二軸部材５０が、第二回動軸５０ａの周りを第一所定角度θ１だけ回動する。
【００２９】
また、便蓋３０が閉状態であるとき、図６に示すように、第二軸部材５０（第二回動軸５０ａ）が第一位置Ｐ１に位置するように、各歯車部材６１，６２が設けられている。第一位置Ｐ１は、第二軸部材５０が、第一軸部材４０の直上から、第一回動軸４０ａの周りに図６における反時計回りに僅かに公転した位置である。
【００３０】
一方、便蓋３０が開状態であるとき、図７に示すように、第二軸部材５０（第二回動軸５０ａ）が、第二位置Ｐ２に位置するように各歯車部材６１，６２が設けられている。第二位置Ｐ２は、第一位置Ｐ１より後方かつ下方に位置する。便蓋３０が閉状態から開状態に回動した場合、第二軸部材５０（第二回動軸５０ａ）は、第一位置Ｐ１から、第一回動軸４０ａの周りを公転することにより第二位置Ｐ２に位置する。
【００３１】
このとき、第二軸部材５０は、第二所定角度θ２（本実施形態においては、およそ５０°）だけ公転する。すなわち、キャリア部材６３が第二所定角度θ２だけ第一回動軸４０ａの周りを回動する。このように、便蓋３０が閉状態から開状態に回動した場合、第二軸部材５０が第二回動軸５０ａの周りを第一所定角度θ１だけ回動（自転）し、かつ、第一回動軸４０ａの周りを第二所定角度θ２だけ公転するとともに、キャリア部材６３が第二所定角度θ２だけ第一回動軸４０ａの周りを回動するように設定されている。
【００３２】
本実施形態においては、例えば、各歯車部材６１，６２の歯数が、第一太陽歯車部材６１ａ、第二太陽歯車部材６１ｂ、第一遊星歯車部材６２ａおよび第二遊星歯車部材６２ｂの順に、１３、２６、３２、１９に設定されている。
【００３３】
このように、動力伝達部６０は、第二軸部材５０が、便蓋３０が閉状態であるときの位置である第一位置Ｐ１と、便蓋３０が開状態であるときの位置である第二位置Ｐ２であって第一位置Ｐ１より後方かつ下方に位置する第二位置Ｐ２との間を、第一軸部材４０に対して平行に第一回動軸４０ａの周りを公転するように設けられている。
【００３４】
また、第二軸部材５０が、第一位置Ｐ１より図６における時計回り方向に回動しないように、かつ、第二位置Ｐ２より図７における反時計回りの方向に回動しないように、案内穴部１０ａが形成されている。案内穴部１０ａは、具体的には、第二軸部材５０が第一位置Ｐ１に位置する場合、図３に示すように、第二軸部材５０の外周面の図３の時計回り方向側と案内穴部１０ａの内周面とが接触するように形成されている。
【００３５】
また、案内穴部１０ａは、第二軸部材５０が第二位置Ｐ２に位置する場合、第二軸部材５０の外周面の図７の反時計方向周り側と案内穴部１０ａの内周面とが接触するように形成されている。また、案内穴部１０ａの形状は、第二軸部材５０の公転を案内するように弧状に形成されている。
【００３６】
次に、上述した便座装置１における、便蓋３０が開状態と閉状態との間を回動したときの動作について、図６乃至図８を用いて説明する。
【００３７】
便蓋３０が閉状態である場合（図１参照）、第二軸部材５０が第一位置Ｐ１に位置する。また、軸受部３１は、第二軸部材５０の第一位置Ｐ１に対応する位置に位置する。そして、使用者が便蓋３０の先端側を持ち上げることにより、便蓋３０が閉状態から開状態に向けて図６における反時計回りに回動する。これに伴って、便蓋３０に一体に設けられた軸受部３１ひいては軸受部３１と一体に回動する第二軸部材５０が、図６における反時計回りに回動する。
【００３８】
このとき、第二軸部材５０は、第二回動軸５０ａの周りに回動（自転）し、かつ、第一位置Ｐ１から第二位置Ｐ２に向けて第一回動軸４０ａの周りに公転する。そして、第二軸部材５０の回動に伴って、軸受部３１が第二回動軸５０ａの周りに回動（自転）し、かつ、第一回動軸４０ａの周りに公転し、動力伝達部６０の各歯車部材６１，６２ひいては第一軸部材４０が回動する。このように、使用者が便蓋３０を持ち上げることにより発生した動力が第二軸部材５０から動力伝達部６０を介して第一軸部材４０に伝達される。
【００３９】
便蓋３０が開状態まで回動された場合、第二軸部材５０が第二位置Ｐ２に位置する。また、この場合、軸受部３１は、第二軸部材５０と一体に回動かつ公転するため、第二軸部材５０の第二位置Ｐ２に対応する位置に位置する。便蓋３０が閉状態から開状態になった場合、軸受部３１は、第二回動軸５０ａ（第二回動軸５０ａ）が下方に変位した分（図８に示す寸法Ｈ）だけ下方に変位する。すなわち、この場合、便蓋３０は、第一回動軸４０ａの周りを公転せずに第二回動軸５０ａの周りを回動する場合に比べて、寸法Ｈだけ下方に変位する。
【００４０】
一方、便蓋３０が開状態である場合（図１参照）に、使用者が便蓋３０の先端側を引き下ろすことにより、便蓋３０が開状態から閉状態に自重にて回動する。これに伴って、軸受部３１および第二軸部材５０が、図７における時計回りに回動する。
【００４１】
第二軸部材５０は、第二回動軸５０ａの周りに回動（自転）し、かつ、第二位置Ｐ２から第一位置Ｐ１に向けて第一回動軸４０ａの周りに公転する。そして、第二軸部材５０の回動に伴って、軸受部３１が第二回動軸５０ａの周りに回動（自転）し、かつ、第一回動軸４０ａの周りに公転し、動力伝達部６０の各歯車部材６１，６２ひいては第一軸部材４０が回動する。このように、使用者が便蓋３０を引き下ろしたことにより発生した動力が第二軸部材５０から動力伝達部６０を介して第一軸部材４０に伝達される。そして、便蓋３０が閉状態まで回動した場合、第二軸部材５０が第一位置Ｐ１に位置する。
【００４２】
本第一実施形態によれば、便座装置１は、便器に取付けられた本体部１０に、先端側が前方に向く閉状態と先端側が上方に向く開状態との間を回動可能に支持された便座２０および便蓋３０を備えている。便座装置１は、本体部１０の内部に配置され、第一回動軸４０ａの周りに回動可能に設けられた第一軸部材４０と、第一軸部材４０に対して平行に本体部１０から突出するように配置され、便蓋３０を支持するとともに、便蓋３０と一体に回動する第二軸部材５０と、本体部１０の内部に配置され、第一軸部材４０と第二軸部材５０とを連結し、第一軸部材４０および第二軸部材５０の一方に入力された動力を第一軸部材４０および第二軸部材５０の他方に伝達する動力伝達部６０と、を備えている。動力伝達部６０は、第二軸部材５０が、便蓋３０が閉状態であるときの位置である第一位置Ｐ１と、便蓋３０が開状態であるときの位置である第二位置Ｐ２であって第一位置Ｐ１より後方かつ下方に位置する第二位置Ｐ２との間を、第一軸部材４０に対して平行に第一回動軸４０ａの周りを公転するように設けられている。
【００４３】
これによれば、第二軸部材５０が便蓋３０を支持している場合において、便蓋３０が閉状態から開状態に回動したとき、第二軸部材５０が第一位置Ｐ１から第一位置Ｐ１より後方かつ下方の第二位置Ｐ２に移動する。よって、本発明における開状態の便蓋３０の位置は、第二軸部材５０が第一位置Ｐ１から第二位置Ｐ２に移動せずに便蓋３０が第二軸部材５０（第二回動軸５０ａ）の周りを回動した場合における開状態の便蓋３０の位置に比べて、下方に位置する。したがって、便座装置１は、便座２０および便蓋３０が開状態である場合においても、便蓋３０の後方のスペースを有効活用できる。
【００４４】
また、動力伝達部６０は、太陽歯車が形成された太陽歯車部材６１と、太陽歯車部材６１に噛み合う遊星歯車が形成された遊星歯車部材６２と、遊星歯車部材６２を、太陽歯車部材６１の周りを公転可能かつ自転可能に支持するキャリア部材６３と、を備えた遊星歯車機構によって構成されている。太陽歯車部材６１には、第一軸部材４０が一体に回動可能に接続されている。遊星歯車部材６２には、第二軸部材５０が一体に回動可能に接続されている。
【００４５】
これによれば、動力伝達部６０が遊星歯車機構によって設けられているため、第二軸部材５０を第一回動軸４０ａの周りに確実に公転させることができる。
【００４６】
また、太陽歯車部材６１は、太陽歯車が第一回動軸４０ａの周りに回動可能に形成された第一太陽歯車部材６１ａと、第一太陽歯車部材６１ａと同軸に回動不能に配置され、太陽歯車が形成された第二太陽歯車部材６１ｂと、を備えている。遊星歯車部材６２は、第一太陽歯車部材６１ａに噛み合う遊星歯車が形成された第一遊星歯車部材６２ａと、第一遊星歯車部材６２ａと一体にかつ同軸に回動可能に設けられ、第二太陽歯車部材６１ｂに噛み合う遊星歯車が形成された第二遊星歯車部材６２ｂと、を備えている。第一太陽歯車部材６１ａには、第一軸部材４０が一体に回動可能に接続されている。第二遊星歯車部材６２ｂには、第二軸部材５０が一体に回動可能に接続されている。
【００４７】
これによれば、各歯車部材６１，６２ひいては動力伝達部６０の小型化を図ることができる。
【００４８】
また、本体部１０には、第二軸部材５０が貫通し、第二軸部材５０を案内する案内穴部１０ａが設けられている。
これによれば、第二軸部材５０が案内穴部１０ａに案内されるため、第二軸部材５０を第一回動軸４０ａの周りにより確実に公転させることができる。
【００４９】
＜第二実施形態＞
次に、本発明による第二実施形態に係る便座装置１の動力伝達部１６０について、主として上述した第一実施形態と異なる部分を、図９を用いて説明する。
【００５０】
本第二実施形態の動力伝達部１６０は、外歯の太陽歯車が形成された太陽歯車部材１６１、内歯の遊星歯車が形成された遊星歯車部材１６２およびキャリア部材１６３によって構成されている。太陽歯車部材１６１および遊星歯車部材１６２は一つずつ設けられている。
【００５１】
太陽歯車部材１６１が、本体部１０に回動不能に固定されている。また、キャリア部材１６３には、第一軸部材４０が一体に回動可能に、かつ、第一軸部材４０と太陽歯車部材１６１とが同軸となるように接続されている。遊星歯車部材１６２には、第二軸部材５０が一体に回動可能に接続されている。
【００５２】
本実施形態においては、例えば、各歯車部材１６１，１６２の歯数が、太陽歯車部材１６１および遊星歯車部材１６２の順に、１５、６０に設定されている。本実施形態における第二所定角度θ２は、およそ１６０°である。
【００５３】
＜第三実施形態＞
次に、本発明による第三実施形態に係る便座装置１の動力伝達部２６０について、主として上述した第一実施形態と異なる部分を、図１０を用いて説明する。
【００５４】
本第三実施形態の動力伝達部２６０は、外歯の太陽歯車が形成された第一太陽歯車部材２６１ａ、内歯の太陽歯車が形成された第二太陽歯車部材２６１ｂ、ピニオン歯車であるピニオン歯車部材２６４、外歯の遊星歯車が形成された遊星歯車部材２６２、および、キャリア部材２６３によって構成されている。
【００５５】
第一太陽歯車部材２６１ａには、第一軸部材４０が一体に回動可能に接続されている。第二太陽歯車部材２６１ｂは、第一回動軸４０ａと同軸に、本体部１０に回動不能に固定されている。遊星歯車部材２６２には、第二軸部材５０が一体に回動可能に接続されている。
【００５６】
また、ピニオン歯車部材２６４は、第一太陽歯車部材２６１ａ、第二太陽歯車部材２６１ｂおよび遊星歯車部材２６２とそれぞれ噛み合うように設けられている。キャリア部材２６３は、ピニオン歯車部材２６４および遊星歯車部材２６２を、第一太陽歯車部材２６１ａの周りを公転可能かつ自転可能に支持する。
【００５７】
本実施形態においては、例えば、各歯車部材の歯数が、第一太陽歯車部材２６１ａ、第二太陽歯車部材２６１ｂ、ピニオン歯車部材２６４および遊星歯車部材２６２の順に、１８、９０、２０、３５に設定されている。本実施形態における第二所定角度θ２は、およそ３４°である。
【００５８】
＜第四実施形態＞
次に、本発明による第四実施形態に係る便座装置１の動力伝達部３６０について、主として上述した第一実施形態と異なる部分を、図１１および図１２を用いて説明する。
【００５９】
本第四実施形態の動力伝達部３６０は、板状に形成され、第一軸部材４０と第二軸部材５０とを連結する。動力伝達部３６０の左側面に第一軸部材４０が一体に回動可能に接続されている。動力伝達部３６０の右側面に第二軸部材５０が一体に接続されている。本実施形態においては、第二軸部材５０は、第二回動軸５０ａの周りに回動しない。
【００６０】
便蓋３０が閉状態と開状態との間を回動したとき、第二軸部材５０が第一位置Ｐ１と第二位置Ｐ２との間を第一軸部材４０に対して平行に第一回動軸４０ａの周りを公転し、第一軸部材４０が第一回動軸４０ａの周りを回動する。このように、便蓋３０が持ち上げ、または引き下げられることによって発生する動力が第二軸部材５０から動力伝達部３６０を介して第一軸部材４０に伝達される。なお、本実施形態における第二所定角度θ２は、１２０°である。
【００６１】
なお、上述した実施形態において、便座装置の一例を示したが、本発明はこれに限定されず、他の構成を採用することもできる。例えば、便座装置１は、温水洗浄便座であるが、これに代えて、洗浄装置を備えない暖房便座としても良い。
【００６２】
また、上述した各実施形態において、一対の第二軸部材５０は、便蓋３０を支持し、かつ、便蓋３０と一体に回動しているが、これに代えて、一対の第二軸部材５０が便座２０を支持し、かつ、便座２０と一体に回動するようにしても良い。この場合、便座２０が閉状態と開状態との間を回動する場合に、動力伝達部６０が動作する。
【００６３】
また、便座装置１が一対の第二軸部材５０を二つ備えることにより、二つの一対の第二軸部材５０のそれぞれが、便座２０および便蓋３０を支持し、かつ、便座２０および便蓋３０と一体に回動するようにしても良い。この場合、便座２０または便蓋３０が閉状態と開状態との間を回動する場合に、対応する動力伝達部６０が動作する。よって、便座装置１は、便座２０および便蓋３０が開状態である場合においても、便座２０および便蓋３０の後方のスペースを有効活用できる。
【００６４】
また、上述した各実施形態において、二つの第一軸部材４０の一方は、ダンパ装置７０の出力軸であるが、これに代えて、自動開閉装置（図示なし）の出力軸としても良い。自動開閉装置は、本体部１０に収納され、電力によって第一軸部材４０を回動させるものである。自動開閉装置によって第一軸部材４０に入力された動力が、動力伝達部６０によって第二軸部材５０に伝達され、第二軸部材５０が回動することにより、軸受部３１ひいては便蓋３０が回動する。
【００６５】
また、上述した実施形態において、各歯車部材６１，６２，１６１，１６２，２６１ａ，２６１ｂ，２６２，２６４は、外歯または内歯にて形成されているが、外歯を内歯に、または、内歯を外歯に代えて設けるようにしても良い。
【００６６】
また、本発明の要旨を逸脱しない範囲において、各軸部材４０，５０、各歯車部材６１，６２，１６１，１６２，２６１ａ，２６１ｂ，２６２，２６４、キャリア部材６３，１６３，２６３および第四実施形態の動力伝達部３６０の形状または個数、並びに、各所定角度θ１，θ２を変更するようにしても良い。
【符号の説明】
【００６７】
１…便座装置、２…腰掛式便器（便器）、１０…本体部、１０ａ…案内穴部、２０…便座、３０…便蓋、４０…第一軸部材、４０ａ…第一回動軸（回動軸）、５０…第二軸部材、５０ａ…第二回動軸、５１…第二平行面、６０…動力伝達部、６１…太陽歯車部材、６１ａ…第一太陽歯車部材、６１ｂ…第二太陽歯車部材、６２…遊星歯車部材、６２ａ…第一遊星歯車部材、６２ｂ…第二遊星歯車部材、６３…キャリア部材、Ｐ１…第一位置、Ｐ２…第二位置。
【図１】
2019042430.tif 000003
【図２】
2019042430.tif 000004
【図３】
2019042430.tif 000005
【図４】
2019042430.tif 000006
【図５】
2019042430.tif 000007
【図６】
2019042430.tif 000008
【図７】
2019042430.tif 000009
【図８】
2019042430.tif 000010
【図９】
2019042430.tif 000011
【図１０】
2019042430.tif 000012
【図１１】
2019042430.tif 000013
【図１２】
2019042430.tif 000014